(57)【特許請求の範囲】
【請求項１】
回転がいしの上部にナックルジョイント機構を介してブレードを取り付けるとともに、前記ブレードが接離する固定接触部を設け、前記回転がいしの回転により、前記ブレードが前記ナックルジョイント機構によって起伏捻回して、前記固定接触部に接離して、開閉操作が行われる直立一点切断路器において、
前記ブレードの先端部に、丸棒状の安定棒を設け、
前記固定接触部の上部に、前記ブレードの投入方向が開口するとともに、前記安定棒の径よりも小さい間隔で対向する一対の安定板を設け、
閉路操作時に、前記ブレードが前記固定接触部に接触把持される前に、前記安定棒が前記安定板に摺動接触して、前記ブレードの慣性力を吸収するようにした、
ことを特徴とする直立一点切断路器。
【発明の詳細な説明】
【０００１】
【発明の属する技術分野】
本発明はブレードの起伏捻回動作にナックルジョイント機構を使用した直立一点切断路器に関する。
【０００２】
【従来の技術】
図２はブレードの起伏捻回動作にナックルジョイント機構を使用した従来の直立一点切断路器の一例を示すもので、（Ａ）は閉路状態、（Ｂ）はブレードが捻回動作から起伏動作に移行する状態、（Ｃ）は開路状態をそれぞれ示すものである。
【０００３】
回転がいし１の上部に接続されたナックルジョイント機構２により、ブレード３の起伏捻回動作を行っている。ナックルジョイント機構２は、回転がいし１の上端部に固定された回転座２ａ、回転座２ａの先端穴に回転可能に支持されたナックルジョイント２ｂ、回転がいし１と同一軸芯上に配設されナックルジョイント２ｂのもう一方の片端に固定されたブレード軸２ｃ、およびブレード軸２ｃを回転支持し、ブレード３の起伏方向にフレーム７に回転支持されたブレードホルダー２ｄから構成されている。
【０００４】
ブレードホルダー２ｄには、ブレード３が倒立状態での捻回動作から倒れる動作に移行するため、ナックルジョイント２ｂの動作を規制する捻回規制ストッパ８が配設されている。また、フレーム７には、閉路操作時に、ブレード３が倒立したときに倒立を規制し、捻回動作のみに移行するように、倒立規制ストッパ９が配設されている。
【０００５】
ナックルジョイント２ｂは、回転座２ａの先端穴に回転支持された方の反対側がブレード軸２ｃと固定されており、回転座２ａと回転座２ａに回転支持されたナックルジョイント２ｂの回転軸芯は４５度に配設されている。ブレード軸２ｄにはブレード３が固定されており、ブレード３が倒立時に接触把持される固定接触部４はアルミパイプ等の電路（図示せず）に接続されている。
【０００６】
上記従来の直立一点切断路器において、開路動作は、図２（Ａ）に示す閉路状態で、回転がいし１に接続された回転座２ａが反時計方向回転すると、ナックルジョイント２ｂも回転座２ａの回転に合わせ反時計方向回転する。このとき、ブレード軸２ｃは回転がいし１と同一軸芯上にあり、ブレードホルダー２ｄに回転支持されているため、回転座２ａの回転と同じ動作で反時計方向回転し、ブレード３が捻回して固定接触部４から離脱する。この状態を図２（Ｂ）に示す。
【０００７】
回転座２ａがさらに回転すると、ナックルジョイント２ｂはブレードホルダー２ｄの捻回規制ストッパ８に当たり、ナックルジョイント２ｂの回転を阻止しようとする。しかし、ブレードホルダー２ｄはフレーム７にブレード３の起伏方向に回転可能に支持されているため、ブレード３は起伏方向に捻回しながら倒れて、開路動作を終了する。この状態を図２（Ｃ）に示す。
【０００８】
なお、閉路動作については、ブレード３の動作が起伏から捻回、開路動作は捻回から起伏となるため、開路動作時はナックルジョイント２ｂが捻回規制ストッパ８、閉路動作時はブレードホルダー２ｄが倒立規制ストッパ９にそれぞれ当接すること以外は、上記開路動作と全く逆の動作をするので、その詳細は省略する。
【０００９】
【発明が解決しようとする課題】
上述した従来のナックルジョイント機構２を使用した直立一点切断路器においては、ナックルジョイント機構２の特性上、ブレード３が開路位置から起立していき、倒立直前で、水平回転に対するブレード３の直立方向の動作角度が最も大きくなるため、ブレード３が倒立したときには、ブレード３の慣性力によって過投入側へブレード３が振れ、またその反動で開放側に振れたり、ブレード３の停止位置が垂直位置の前後にばらついたりして、不安定な状態であった。
【００１０】
そこで本発明は、常にブレード倒立位置がほぼ垂直位置で停止する直立一点切断路器を提供することを目的とする。
【００１１】
【課題を解決するための手段】
上記目的を達成するために本発明は、回転がいしの上部にナックルジョイント機構を介してブレードを取り付けるとともに、前記ブレードが接離する固定接触部を設け、前記回転がいしの回転により、前記ブレードが前記ナックルジョイント機構によって起伏捻回して、前記固定接触部に接離して、開閉操作が行われる直立一点切断路器において、前記ブレードの先端部に、丸棒状の安定棒を設け、前記固定接触部の上部に、前記ブレードの投入方向が開口するとともに、前記安定棒の径よりも小さい間隔で対向する一対の安定板を設け、閉路操作時に、前記ブレードが前記固定接触部に接触把持される前に、前記安定棒が前記安定板に摺動接触して、前記ブレードの慣性力を吸収するようにする。
【００１２】
また、安定棒が潤滑剤を有する樹脂材で形成され、安定板がバネ効果を有するステンレス材で形成されることが好ましい。
【００１３】
上記直立一点切断路器においては、閉路操作時に、安定棒が安定板に摺動接触して、ブレードの慣性力が吸収されることにより、常にブレードがほぼ垂直位置での停止が可能である。
【００１４】
【発明の実施の形態】
以下、本発明の実施の形態の一例を、図１を参照して説明する。
図１において、ブレード３の先端には、丸棒状の安定棒５を配設し、固定接触部４の上端には、一対の安定板６を配設する。なお、一対の安定板６の間隔は安定棒５の径よりも小さく設定する。
また、ブレード３の慣性力を安定棒５と安定板６の摩擦抵抗で吸収するため、摩擦抵抗が経年劣化によって変化すると、ブレードの慣性力と慣性力吸収とのバランスが崩れ垂直位置で停止しなくなる。従って、安定棒５および安定板６の材質は経年的に摩擦係数が極力変化しないように、安定棒５には潤滑剤の入った樹脂材、安定板６には表面が酸化せずバネ効果のあるステンレス材を使用すると良い。
なお、上述した部分以外については、従来の直立一点切断路器と全く同一に構成される。
【００１５】
次に、上述した本発明の実施の形態である直立一点切断路器の閉路動作を説明する。
回転がいし１の回転により、従来の直立一点切断路器と全く同様に、ブレード３が起立動作を開始する。起立動作の最終手前で、ブレード３の先端に配設した安定棒５が固定接触部４の上端に配設した一対の安定板６との接触を開始する。安定棒５は一対の安定板６に挟まれて摺動移動し、その摺動部の摩擦抵抗で、ブレード３の慣性力が吸収され、ブレード３がほぼ垂直位置で停止する。その後、捻回動作に移行し、固定接触部４とブレード３が完全接触して閉路動作を終了する。
【００１６】
【発明の効果】
本発明によれば、ブレードの先端に安定棒、固定接触部の上端に一対の安定板をそれぞれ配設し、ブレード倒立時の慣性力を吸収するので、ブレードが常にほぼ垂直に倒立した位置で停止できる。
【図面の簡単な説明】
【図１】本発明の直立一点切断路器の実施の形態の一例を示す図である。
【図２】従来の直立一点切断路器の一例を示すもので、（Ａ）は閉路状態、（Ｂ）はブレードが捻回動作から起伏動作に移行する状態、（Ｃ）は開路状態をそれぞれ示す図である。
【符号の説明】
１  回転がいし
２  ナックルジョイント機構
２ａ  回転座
２ｂ  ナックルジョイント
２ｃ  ブレード軸
２ｄ  ブレードホルダー
３  ブレード
４  固定接触部
５  安定棒
６  安定板
７  フレーム
８  捻回規制ストッパ
９  倒立規制ストッパ
【図１】
0004046307.tif 000002
【図２】
0004046307.tif 000003